(57)【要約】【課題】透水性および保水性を兼備し、外観が良好であり、自然環境との調和性にも優れた土質ブロックを提供する。【解決手段】土系骨材１０、セメント系固化材１１をミキサ１２に投入して充分に撹拌、混合した後、団粒化剤１４を添加し、さらに撹拌、混練することによってスラリー状の混合物１５を形成し、この混合物１５を振動プレス装置の型枠内に投入して所定形状に成形した後、固化させることによって土質ブロックを形成する。団粒化剤に含まれるイオンの作用により、土系骨材１０とセメント系固化材１１の粒子とが立体的な団粒構造を形成し、連続した空隙が発生するため、この混合物１５を固化させることにより、透水性と保水性とをバランス良く兼備し、自然な外観性を有する土質ブロックを得ることができる。【選択図】  図１
2006241700.tif 000002
【特許請求の範囲】
【請求項１】
セメント系固化材、セメント、消石灰のうちの１以上と、土系骨材と、団粒化剤とを含む混合物を固化させて形成したことを特徴とする土質ブロック。
【請求項２】
前記土系骨材として、砂質土、粘土、ヘドロのうちの１以上を用いた請求項１記載の土質ブロック。
【請求項３】
前記団粒化剤として、アクリル酸・メタクリル酸ジメチルアミノエチル共重合物のマグネシウム塩とポリエチレンイミンとの複合体を含む高分子化合物を用いた請求項１または２記載の土質ブロック。
【発明の詳細な説明】
【技術分野】
【０００１】
本発明は、透水性および保水性を兼備した土質ブロックに関する。
【背景技術】
【０００２】
歩道、公園内の通路、駐車場などの舗装材として使用される透水性ブロックは、従来、砕石、砂などの石系骨材をセメントや合成樹脂などの固化材で固化させることによって形成されている。従来の透水性ブロックは、内部に多数の気孔を有する多孔質構造のものが一般的であるが、ブロック表面が滑りやすく、歩行感が悪い。
【０００３】
そこで、本発明者は、ガラス粉末と、セメント系固化材と、団粒化剤とを含む混合物を固化させることによって形成される透水性ブロックを提案している。（例えば、特許文献１参照。）。
【０００４】
【特許文献１】特開２００２−２９８０９号公報
【発明の開示】
【発明が解決しようとする課題】
【０００５】
従来の透水性ブロックはコンクリート製品であるため、無機質で冷たい印象を与えがちであり、外観性に劣る。特に、自然環境との外観的調和が求められる場所に配置されたコンクリート製品は周囲の景色に馴染まず、違和感を与えることが多い。また、歩道などのように人間が歩く場所においては、舗装面から視覚を通じて受ける印象によって歩く感触が左右されることもあり、従来の透水性ブロックは、硬質で歩きにくいような感じを与えている。このような状況は、特許文献１に記載の透水性ブロックの場合も同様である。
【０００６】
本発明が解決しようとする課題は、透水性および保水性を兼備し、外観が良好であり、自然環境との調和性にも優れた土質ブロックを提供することにある。
【課題を解決するための手段】
【０００７】
本発明の土質ブロックは、セメント系固化材、セメント、消石灰のうちの１以上と、土系骨材と、団粒化剤とを含む混合物を固化させて形成したことを特徴とする。このような構成とすれば、セメント系固化材、セメント、消石灰のうちの１以上と、土質骨材と、団粒化剤とを含む混合物においては、団粒化剤に含まれるイオンの作用により、セメント系固化材、セメント、消石灰のうちの１以上と土系骨材の粒子とが立体的な団粒構造を形成するため、連続した空隙が発生する。従って、これらの混合物を固化させることにより、透水性と保水性とをバランス良く兼備したブロックを得ることができる。また、土系骨材を含むことにより、天然土に似た特有の外観、色調、質感を発現するため、外観性が良好であり、自然環境との調和性にも優れている。
【０００８】
なお、本発明の土質ブロックに含まれる土系骨材は一定形状のブロックを形成する主材料となり、団粒化剤は土系骨材とセメント系固化材の粒子を立体的な団粒構造へと変化させる作用を果たし、セメント系固化材、セメント、消石灰はそれぞれ、団粒化剤によって形成された団粒構造を外力で破壊されない強度に固める作用を果たす。なお、セメント系固化材、セメント、消石灰は、土系骨材の種類、当該土質ブロックの用途などに応じて使い分けることが望ましく、２以上を混合して使用することもできる。
【０００９】
ここで、前記土系骨材として、砂質土、粘土、ヘドロのうちの１以上を用いることができる。砂質土、粘土を用いればこれらの素材が具備する独特の質感を備えたブロックを形成することができる。また、ヘドロを用いれば、廃棄物の有効活用を図ることができる。
【００１０】
また、前記団粒化剤として、アクリル酸・メタクリル酸ジメチルアミノエチル共重合物のマグネシウム塩とポリエチレンイミンとの複合体を含む高分子化合物を用いることにより、比較的強固な団粒構造を形成することができる。
【発明の効果】
【００１１】
本発明により、透水性および保水性を兼備し、外観が良好であり、自然環境との調和性にも優れた土質ブロックを得ることができる。
【発明を実施するための最良の形態】
【００１２】
以下、図面に基づいて、本発明の実施の形態について説明する。図１は本発明の実施の形態である土質ブロックの製造工程の一部を示す図、図２は本発明の実施の形態である土質ブロックを示す斜視図、図３は図２に示す土質ブロックを用いて形成した舗装構造の一例を示す垂直断面図である。
【００１３】
図１に示すように、土系骨材１０、セメント系固化材１１をミキサ１２に投入して充分に撹拌、混合する。ミキサ１２はモータ１３などを用いた撹拌駆動機構を有する一般的なものを用いることができる。土系骨材１０とセメント系固化材１１とがムラ無く混合されたら、団粒化剤１４を添加し、さらに撹拌、混練することによってスラリー状の混合物１５を形成する。このようにして得られた混合物１５を振動プレス装置（図示せず）の型枠内に投入して所定形状に成形した後、固化させる。
【００１４】
型枠（図示せず）内に投入された混合物１５中においては、団粒化剤１４の団粒化作用により、土系骨材１０、セメント系固化材１１などの粒子群が互いに結合して団粒化しながら立体網目構造が形成されていき、この過程において、さらに結合、連結が進行して、大小の間隙を有する多孔質状の粗大粒子が形成され、養生過程を経ることによって固化する。従って、型枠（図示せず）内の混合物１５が充分に固化した後、脱型して取り出すと図２に示すような土質ブロック１が完成する。
【００１５】
このような工程を経て形成された土質ブロック１は立体網目構造を備えているため、この立体網目構造内に存在する連続した空隙により、水分を効率的に吸収したり、透過したりする機能が生じ、優れた透水性および保水性を発揮する。また、土質ブロック１は、土系骨材１０を含むことにより、天然土に似た外観、色調、質感を発現するため、外観性が良好であり、自然環境との調和性にも優れている。
【００１６】
図２に示す土質ブロック１は長さ２０ｃｍ、幅１０ｃｍ、高さ６ｃｍの直方体形状であるが、形状、サイズはこれに限定するものではなく、また、その用途も様々であるが、例えば、図３に示すような舗装構造の建設用資材として土質ブロック１を使用することができる。図３に示す舗装構造は、路床２の上にクラッシャーランを敷設することによって路盤３を形成し、この路盤３の上面にクッションサンド層４を敷設し、さらにクッションサンド層４の上面に複数の土質ブロック１を配列することによって形成されている。
【００１７】
舗装面上に降った雨水などは土質ブロック１中に速やかに吸収され、立体網目構造内に存在する連続した空隙によって保水されるとともに、保水しきれない雨水は下方へ浸透させることができるため、透水性と保水性のバランスの良好な舗装構造を形成することができる。また、土系骨材１０を含むことにより、天然土に似た外観、色調、質感を発現するため、外観性が良好であり、自然環境との調和性にも優れている。さらに、夏季などの気温の高い時期には、土質ブロック１中に保持されている水分が表面から蒸発し、その際に気化熱を奪うので、舗装部分の温度上昇を抑制することができる。このため、いわゆるヒートアイランド現象の防止にも有効である。なお、図３に示すように、水平方向に隣り合う土質ブロック１の間の隙間５には、例えば、砂などの目地材を充填する。
【００１８】
図１に示す混合工程で形成される混合物１５の組成は特に限定するものではないが、本実施形態においては、土系骨材１０として砂質土を用い、セメント系固化材１１として、住友大阪セメント株式会社の「商品名：タフロック３Ｅ（ＴＬ−３Ｅ）」を使用し、団粒化剤１４として、有限会社グローバル研究所の「商品名：ＧＢ−２０００」を用いたところ、強固な団粒構造を形成することができた。「ＧＢ−２０００」はアクリル酸・メタクリル酸ジメチルアミノエチル共重合物のマグネシウム塩とポリエチレンイミンとの複合体からなる高分子化合物である。「ＧＢ−２０００」は原液のまま、あるいは水溶液にして使用することができる。
【００１９】
なお、本実施形態において、混合物１５を構成する各成分の混合比率は次の通りであるが、これに限定するものではないので、土質ブロック１の用途、土系骨材１０の種類、性状などによって変更することができる。
土系骨材１０（砂質土）：１０００ｋｇ〜１５００ｋｇ
セメント系固化材１１（ＴＬ−３Ｅ）：１００ｋｇ〜２００ｋｇ
団粒化剤１４（ＧＢ−２０００の原液）：１リットル〜１０リットル
水：適量（混合物１５の固さ、流動性を確認しながら添加量を調節する。）
【００２０】
本実施形態においては、混合物１５を成形、固化させて作られた土質ブロック１の性質、用途などについて説明したが、スラリー状の混合物１５をそのまま地盤上などに打設することも可能であり、これによって、防草目的の舗装面あるいは歩道などを形成することができる。また、混合物１５を形成する際に植物系や樹脂系などの短繊維を入れることも可能であり、短繊維を混入させた混合物１５を前記と同様の工程を経て成形、固化させれば、土質ブロック１の強度を上げることができる。
【産業上の利用可能性】
【００２１】
本発明の土質ブロックは、歩道、駐車場などの舗装資材、河川の護岸工事や斜面保護工事用の資材、防草目的の敷設資材などとして広く利用することができる。
【図面の簡単な説明】
【００２２】
【図１】本発明の実施の形態である土質ブロックの製造工程の一部を示す図である。
【図２】本発明の実施の形態である土質ブロックを示す斜視図である。
【図３】図２に示す土質ブロックを用いて形成した舗装構造の一例を示す垂直断面図である。
【符号の説明】
【００２３】
１  土質ブロック
２  路床
３  路盤
４  クッションサンド層
５  隙間
１０  土系骨材
１１  セメント系固化材
１２  ミキサ
１３  モータ
１４  団粒化剤
１５  混合物
【図１】
2006241700.tif 000003
【図２】
2006241700.tif 000004
【図３】
2006241700.tif 000005